(57)【要約】【課題】圧力差が大きな場合にはもちろんのこと、圧力差が小さな均衡状態が長く続く場合であっても、逆止弁の機能を有効に発揮させる。【解決手段】弁部として、上流側に位置する上流弁部ａと、下流側に位置する下流弁部ｃの２つの弁部を備え、両弁部の間に、流路内の流体を滞留させるバッファ部ｂを設ける。バッファ部ｂは、下流弁部ｃよりも、流路の閉鎖性が低く、且つ、上流弁部ａは、下流弁部ｃよりも、流路の閉鎖性が低い。また、バッファ部ｂは、上流弁部ａと下流弁部ｃとの少なくともいずれか一方よりも、長さが長いものであってもかまわない。【選択図】図９
2019014535.tif 000002
【特許請求の範囲】
【請求項１】
外側の上下に外装フィルムのそれぞれが配置され、前記外装フィルムの両側辺が閉鎖された閉鎖部を構成し、一端側が順流に対する流入部となり、他端側が前記順流に対する流出部となる、柔軟な略筒状のものであり、前記順流及びその逆方向へ流れる逆流の流路を構成すると共に、前記流路内の流体の移動を規制する弁部を前記流路に備えたシート製の閉鎖弁において、
前記弁部として、前記順流の上流側に位置する上流弁部と、前記上流弁部よりも前記順流の下流側に位置する下流弁部の、少なくとも２つの弁部を備え、
前記上流弁部と前記下流弁部との間は、前記流路内の流体を滞留させるバッファ部を構成し、
前記バッファ部は、前記下流弁部よりも、前記流路の閉鎖性が低くなるように構成され、
且つ、
前記上流弁部は、前記下流弁部よりも、前記流路の閉鎖性が低くなるように構成されたことを特徴とするシート製の閉止弁。
たことを特徴とするシート製の閉止弁。
【請求項２】
外側の上下に外装フィルムのそれぞれが配置され、前記外装フィルムの両側辺が閉鎖された閉鎖部を構成し、一端側が順流に対する流入部となり、他端側が前記順流に対する流出部となる、柔軟な略筒状のものであり、前記順流及びその逆方向へ流れる逆流の流路を構成すると共に、前記流路内の流体の移動を規制する弁部を前記流路に備えたシート製の閉鎖弁において、
前記弁部として、前記順流の上流側に位置する上流弁部と、前記上流部よりも前記順流の下流側に位置する下流弁部の、少なくとも２つの弁部を備え、
前記上流弁部と前記下流弁部との間は、前記流路内の流体を滞留させるバッファ部を構成し、
前記バッファ部は、前記下流弁部よりも、前記流路の閉鎖性が低くなるように構成され、
且つ、
前記バッファ部は、前記上流弁部と前記下流弁部との少なくともいずれか一方よりも、前記流路の前記流体の流れ方向の長さが長くなるように構成されたことを特徴とするシート製の閉止弁。
【請求項３】
前記弁部のうち少なくとも前記上流弁部は、前記順流時に開いて前記逆流時に閉じる逆止弁を構成する少なくとも１枚のフィルムを弁体フィルムとして備えており、
前記弁体フィルムは、その上面に重ねられたフィルムとの間が開放又は密着することにより、前記流路の開閉が行われるものであり、
前記弁体フィルムは、その下面に重ねられたフィルムとの間が、その上流側において密閉状態に固定され、その下流側において前記バッファ部に導通していることによって、前記弁体フィルムとその下面に重ねられた前記フィルムとの間がバッファ連続部を構成していることを特徴とする請求項１又は２に記載のシート製の閉止弁。
【請求項４】
前記弁体フィルムは、前記上流弁部のみが備え、前記下流弁部が備えいないものであり、
前記弁体フィルムの下流端と前記外装フィルムの下流端との間に先端空間が配置され、
前記先端空間は、上下の前記外装フィルム間が直接対向する空間であり、前記バッファ部を構成する低閉鎖性空間と、その下流側に位置して前記下流弁部を構成する高閉鎖性空間とを備えていることを特徴とする請求項１〜３の何れかに記載のシート製の閉止弁。
【請求項５】
前記流路の流路幅は、前記下流弁部の方が前記バッファ部及び前記上流弁部よりも狭いことを特徴とする請求項１〜４の何れかに記載のシート製の閉止弁。
【請求項６】
前記流路を構成する前記フィルム間の粘着性は、前記バッファ部の方が前記上流弁部及び前記下流弁部よりも低いことを特徴とする請求項１〜５の何れかに記載のシート製の閉止弁。
【請求項７】
請求項１乃至６の何れかに記載のシート製の閉止弁を備えた袋。
【請求項８】
袋と、前記袋の収容空間を構成するシートに固定された請求項１又は２に記載のシート製の閉止弁とを備え、
前記上流弁部は上流弁フィルムを備え、前記上流弁フィルムは一方の前記外装フィルムに固定された固定部と、前記固定部から前記流出部へ向けて伸びるフラップ部とを備えた逆止弁であり、
前記固定部は、前記順流の流れ方向において、前記袋を構成する前記シート同士をシールして前記収容空間の内外を分ける前記袋のシール部である圧力差位置と同じ位置か、それよりも下流側に配置されていることを特徴とする袋。
【発明の詳細な説明】
【技術分野】
【０００１】
本発明は、シート製の閉止弁、シート製の閉止弁を備えた食品用脱気袋などの袋に関するものである。
【背景技術】
【０００２】
食品やその他の物品を収容するのに柔軟な樹脂製の袋が広く利用されている。特に外気との接触を嫌う物品には、外気を遮断できる樹脂製の密閉袋に収容して保存することが一般に行われている。また、梱包などに用いられる緩衝用材には、空気その他の気体を袋へ充填する、即ち当該気体を収容してクッションとする樹脂製の袋体が利用される。更に、衣服や布団などを収容して袋内の空気を排出することにより、嵩を減らして収納スペースを食わない脱気袋も普及している。
【０００３】
収容物には、気体や液体に限らず、固体であっても、例えば発酵食品など、収容中にガスを発生させるものもある。
上記の密閉袋には、閉止弁を備え、閉止弁を通じて、流体である収納物の取出しや、不要なガスの排出を、外気を袋内に侵入させずに行うものが普及している。
【０００４】
例えば特許文献１には、柔軟性を有する樹脂製シートからなる外装フィルム（１）と弁体シート（２）とを有し、対向する外装フィルム（１ａ，１ｂ）の両側辺が接着されたサイドシール（３）が形成されたことにより、断面が扁平な略筒状であり、内部に流体通路（Ｐ）が設けられたものであり、対向する外装フィルム（１ａ，１ｂ）に挟まれるようにして、少なくとも１枚の弁体シート（２）が設けられ、この弁体シート（２）の一方側の面である取付面（２１）の一部である接着部（２１ａ）は、一方側の外装フィルム（１ａ）に対して接着されており、この弁体シート（２）の他方側の面である密着面（２２）は、この密着面（２２）と対向する他方側の外装フィルム（１ｂ）あるいは他方側の外装フィルム（１ｂ）に接着された弁体シート（２’）に対して接近及び離反が可能とされ、密着面（２２）が、密着面（２２）と対向する上記の各シート（１ｂ，２’）に密着することにより流体通路（Ｐ）が閉鎖される逆止弁（Ｖ）において、 流体通路（Ｐ）の両端である開口部（Ｐ１，Ｐ２）のうちの一方側である操作側開口部（Ｐ２）の、流体通路（Ｐ）を挟んだ両側に、各々の外装フィルム（１）の有する剛性よりも、高い剛性を有する持手部（４）が形成されたものであり、上記の操作側開口部（Ｐ２）を挟んだ両側の持手部（４）同士を、外装フィルム（１）に沿う方向において接近させることにより、流体通路（Ｐ）を強制的に開放可能する逆止弁が示されている。
【０００５】
特許文献１に示された発明は、操作側開口部を挟んだ両側の持手部同士を、外装フィルムに沿う方向において接近させることによって、流体通路を強制的に開放可能とされたことにより、手だけで流体通路を開放することができ、簡便かつ迅速に流体の通過をなすことができるものであって、かつ、見栄えに影響することなく、不慮の流体漏れの起こる可能性の低い逆止弁を提供せんとするものである。
【０００６】
柔軟な樹脂製の袋（図１（Ａ））に設けられる従来の逆止弁の作動のイメージについて、大気圧を０として当該大気圧を基準に、図１０を用いて袋内の増加圧力が種々の場合の例を簡単に説明する。
図１０中、「内」との表示は袋の収容空間内即ち袋内側を示し、「外」との表示は袋の外側即ち大気側を示す。図示の通り、脱気において、上記「内」側が上流側であり、上記「外」側が下流側である。図１０（Ａ）〜（Ｅ）において、中央縦に伸びて上記「内」側と「外」側を区画する太線は、袋の内圧と袋外部との圧力差位置であり、袋端部といった弁取付位置を示している。
【０００７】
袋の内圧と外気圧とが均衡した図１０（Ａ）の状態から、袋の内圧が外気圧よりも高くなった図１０（Ｂ）の状態（例として外気圧０に対して内圧＋０．５気圧）を経て、内圧が外気圧に対して更に高くなった図１０（Ｃ）の状態（例として外気圧０に対して内圧＋１気圧）にて袋内の気体が脱気弁から排出即ち脱気される。当該脱気により袋の内圧と外気圧との差が縮まり再び図１０（Ｂ）と同様の比率となる図１０（Ｄ）の状態（外気圧０に対して内圧＋０．５気圧）を経て、再び袋の内圧と外気圧とが均衡するか外気圧より袋の内圧が若干低い図１０（Ｅ）の状態となる。図１０（Ｅ）の状態において、弁（弁体）はシート即ちフィルムの自己粘着により通気路を閉鎖している。
【０００８】
図１０へ示す通り、従来の逆止弁においても、緩衝材（エア緩衝材）などの空気封入袋や衣類圧縮袋などの脱気袋として、十分な機能を有している。
ところが従来の逆止弁が想定していたものは、逆止弁の開閉時に大きな圧力変動を伴う状態であった。この大きな圧力変動を伴う場合の逆止弁の開発は、次の二つの点を考慮してなされていた。
【０００９】
第一の課題は、逆流を防止する機能であり、逆流時（流路中の流体の圧力差が生じた場合）に、弁を確実に早く閉じるという課題である。
第二の課題は、逆流を防止した状態を長期にわたって維持させるという課題である。 
上記の課題を解決するために、逆止弁の通気路内の上流と下流の２か所に弁体を設ける提案もなされている。
【００１０】
例えば、特許文献２は、対向する外装フィルム（４３ａ）（４３ｂ）の両側辺が、閉鎖された閉鎖部（４３ｅ）（４３ｆ）とされることにより、断面が扁平な略筒状の空気通路（４１）が形成され、この空気通路（４１）の両端側に開口部（４３ｃ）（４３ｇ）が形成されると共に、内部に弁体シート（４２）が設けられた弁において、弁体シート（４２）は、前記一方の外装フィルム（４３ｂ）に取り付けられた固定部（４２ａ）と、固定部（４２ａ）を中心に可動である第１フラップ部（４２ｂ）と第２フラップ部（４２ｃ）とを備え、第１フラップ部（４２ｂ）は、他方の外装フィルム（４３ａ）の空気通路側の面（４３ｉ）に密着することにより、前記空気通路（４１）における一端側から他端側への空気の流れを遮断するものであり、かつ、第２フラップ部（４２ｃ）は、他方の外装フィルム（４３ａ）の空気通路側の面（４３ｉ）に密着することにより、前記空気通路（４１）における他端側から一端側への空気の流れを遮断する閉止弁に関するものであり、その図３及び図４には、上流弁部と下流弁部との２つの弁部を備えているものが示されている。
【００１１】
また、特許文献３や４にも、上流弁部と下流弁部との２つの弁部を備えるものが示されている。
これらの特許文献に示される二つの弁部を備えた逆止弁は、上記の第一と第二の課題の課題であって、第一の課題は、逆流を防止する機能を確実に早く発揮させたり、逆流を防止した状態を長期にわたって維持させたりするために、一つの弁部だけでは十分でないため、さらにもう一つの弁部を設けることを提案するものであった。
【００１２】
ところが、近年にあっては、大きな圧力変動を伴う場合は勿論、小さな圧力変動を伴う場合にも対応できる逆止弁の開発が望まれている。このような小さな圧力変動を伴う場合にも対応する逆止弁の開発においては、上述の従来の課題の解決手段では解決できない、新たな課題が浮上した。
【００１３】
この新たな課題は、圧力差が非常に小さい均衡状態における弁の挙動に関するものである。
具体的には、上記図１０（Ｃ）の状態から、図１０（Ｄ）の状態、更に図１０（Ｅ）の状態と変化する際に、弁出口付近の僅かな流体（脱気袋の場合空気など）を吸い込んでしまうという課題があることが発明者によって知見されたった。特に圧力差が非常に小さい均衡状態（上流≒下流）が長く続く場合、弁部の自己粘着だけでは弁出口が閉じ難くなっており、弁を閉鎖できない可能性が増す。
【００１４】
従来の逆止弁が適用されてきた圧縮袋などの場合は、袋を強制的に加圧する、または空気封入袋の場合もノズルなどにてエア（空気）を注入し、袋内の圧力を素早く上昇させることができるので、比較的圧力差を大きく確保でき、均衡状態の時間を短くできる。
これに対して、内容物がガスを発生する場合、当該発生ガスにより、圧力差を生じるもの、例えばコーヒー豆を内容物とする場合、内容量（コーヒー豆）が少ないときには発生するガス量も少なくなり、均衡状態が長くなることがある。
【先行技術文献】
【特許文献】
【００１５】
【特許文献１】特開２００５−２１９７６６号公報
【特許文献２】特許第３５０２８４５号公報
【特許文献３】実公平５−４２０３４号公報
【特許文献４】特開平２−４５３７３号公報
【発明の概要】
【発明が解決しようとする課題】
【００１６】
本発明は、圧力差が大きな場合にはもちろんのこと、圧力差が小さな均衡状態が長く続く場合であっても、逆止弁の機能を有効に発揮することができる閉止弁の提供を課題とする。
【課題を解決するための手段】
【００１７】
本発明は、外側の上下に外装フィルムのそれぞれが配置され、前記外装フィルムの両側辺が閉鎖された閉鎖部を構成し、一端側が順流に対する流入部となり、他端側が前記順流に対する流出部となる、柔軟な略筒状のものであり、前記順流及びその逆方向へ流れる逆流の流路を構成すると共に、前記流路内の流体の移動を規制する弁部を前記流路に備えたシート製の閉鎖弁において、上流弁部と、下流弁部と、バッファ部との三つの領域を備えた閉止弁を提供する。
【００１８】
前記上流弁部は前記順流の上流側に位置し、前記下流弁部は前記上流部よりも前記順流の下流側に位置する。そして、前記上流弁部と前記下流弁部との間が、前記流路内の流体を滞留させるバッファ部を構成する。
前記バッファ部に流体を滞留させるためには、次のように構成する。
【００１９】
第一に、前記バッファ部は、前記下流弁部よりも、前記流路の閉鎖性が低くなるように構成される。
第二に、前記上流弁部は、前記下流弁部よりも、前記流路の閉鎖性が低くなるように構成される。
また、上記の第二の構成に変えて或いは加えて、第三に、前記バッファ部は、前記上流弁部と前記下流弁部との少なくともいずれか一方よりも、前記流路の前記流体の流れ方向の長さが長くなるように構成される。
【００２０】
本発明の実施に際して、前記弁部のうち少なくとも前記上流弁部は、前記順流時に開いて前記逆流時に閉じる逆止弁を構成する少なくとも１枚のフィルムを弁体フィルムとして備えているものとすることもできる。前記弁体フィルムは、その上面に重ねられたフィルムとの間が開放又は密着することにより、前記流路の開閉が行われるものであり、前記弁体フィルムは、その下面に重ねられたフィルムとの間が、その上流側において密閉状態に固定され、その下流側において前記バッファ部に導通していることによって、前記弁体フィルムとその下面に重ねられた前記フィルムとの間がバッファ連続部を構成する。
【００２１】
また、本発明の実施に際して、前記弁体フィルムは、前記上流弁部のみが備え、前記下流弁部が備えいないものであり、前記弁体フィルムの下流端と前記外装フィルムの下流端との間に先端空間が配置され、前記先端空間は、上下の前記外装フィルム間が直接対向する空間であり、前記バッファ部を構成する低閉鎖性空間と、その下流側に位置して前記下流弁部を構成する高閉鎖性空間とを備えているものとすることもできる。
【００２２】
前記流路の閉鎖性は、前記流路の流路幅と前記流路を構成する前記フィルム間の粘着性によって大きく左右される。従って、具体的な手段として、前記流路の流路幅を、前記下流弁部の方が前記バッファ部及び前記上流弁部よりも狭いものとして実施することができる。
また、前記フィルム間の粘着性を、前記バッファ部の方が前記上流弁部及び前記下流弁部よりも低いものとして実施することができる。
【００２３】
本発明に係る閉止弁は、袋に装着して用いることができる。具体的には、袋と、前記袋の収容空間を構成するシートに固定された前記閉止弁とを備え、前記上流弁部は上流弁フィルムを備え、前記上流弁フィルムは一方の前記外装フィルムに固定された固定部と、前記固定部から前記流出部へ向けて伸びるフラップ部とを備えた逆止弁であり、前記固定部は、前記順流の流れ方向において、前記袋を構成する前記シート同士をシールして前記収容空間の内外を分ける前記袋のシール部である圧力差位置と同じ位置か、それよりも下流側に配置されていることを特徴とする袋を本発明は提供する。
【００２４】
なお本発明において、上下は相対的な位置関係を示すに止まり、絶対的な位置を特定するものではない。具体的には閉止弁は、様々な向きで袋に取り付けられるものであり、袋自体も様々な向きで用いられるものであり、何の向きで用いられるものであっても本発明に規定する相対的な位置関係を満たすものであれば、本発明の実施と考えられるべきである。
【発明の効果】
【００２５】
本発明は、圧力差が大きな場合にはもちろんのこと、圧力差が小さな均衡状態が長く続く場合であっても、逆止弁の機能を有効に発揮することができる閉止弁とこれを備えた袋を提供することができたものである。
【図面の簡単な説明】
【００２６】
【図１】（Ａ）は第１の実施の形態に係る閉止弁を取り付けた袋の全体平面図、（Ｂ）は同閉止弁の拡大平面図。
【図２】（Ａ）は同閉止弁の斜視図、（Ｂ）は同閉止弁の略縦断面図。
【図３】（Ａ）は図２（Ｂ）のｘ−ｘ断面図、（Ｂ）は同閉止弁の作動状態を示す略縦断面図。
【図４】（Ａ）は同閉止弁の分解斜視図、（Ｂ）は（Ａ）の同閉止弁を袋に設ける過程を示す略斜視図。
【図５】（Ａ）〜（Ｆ）は同閉止弁の動作を示す説明図。
【図６】（Ａ）は図１（Ａ）の密閉袋の変更例を示す全体平面図、（Ｂ）は同密閉袋に設けた閉止弁の変更例を示す拡大平面図。
【図７】（Ａ）は第２の実施の形態に係る閉止弁を示す略縦断面図、（Ｂ）は第３の実施の形態を示す略縦断面図。
【図８】（Ａ）は第３の実施の形態に係る閉止弁の分解斜視図、（Ｂ）は同閉止弁を完成後に袋へ取り付けた状態を示す平面図。
【図９】（Ａ）は第４の実施の形態に係る閉止弁の断面図、（Ｂ）は同閉止弁の平面図、（Ｃ）は同閉止弁の変更例を示す平面図、（Ｄ）は同閉止弁の他の変更例を示す平面図、（Ｅ）は同断面図。
【図１０】（Ａ）〜（Ｅ）は従来の閉止弁の動作を示す斜視図。
【発明を実施するための形態】
【００２７】
以下に、図面に基づき本願発明の実施の形態を説明する。
この例は、本発明に係る閉止弁ｖを脱気弁として、当該閉止弁ｖを備えた密閉袋ｗについて説明する。特に上記脱気弁を設けた食品用収納用の袋を上記密閉袋ｗとして、図１（Ａ）へ全体図（平面図）を例示する。図１（Ｂ）は図１（Ａ）の密閉袋ｗに設けた本発明に係る閉止弁ｖの拡大平面図である。
【００２８】
（密閉袋ｗ）
上記の食品用袋である袋は、柔軟な樹脂性の密閉袋ｗである。
図１（Ａ）へ示す通り、この例では、密閉袋ｗは、略矩形の上シートｗ１と下シートｗ２の２枚のシートを重ね、前記矩形の３辺ｗ３，ｗ４，ｗ５をシールして閉鎖し、袋としたものである。上シートｗ１と下シートｗ２とは、夫々ポリエチレンに代表される柔軟な合成樹脂にて形成されたシートである。図１（Ａ）（Ｂ）の網掛けで示す部分が、上記シールを施されたシール部ｈである。シール部ｈの形成は、ヒートシールにて行うことができる。
【００２９】
上記において、閉鎖されずに開放された残りの１辺ｗ６は、密閉袋ｗの開口部（以下必要に応じて開口部ｗ６と呼ぶ。）とされ、ファスナｗ７が設けられる。ファスナｗ７には、合成樹脂製の袋開口部の閉鎖において用いられる、周知のものを採用すればよい。例えば、この例で、ファスナｗ７は、上記開口部ｗ６とされる１辺の略全長に渡って設けられた凹凸で構成され、凹凸同士の嵌め合いにて開閉自在に開口部の閉鎖を行う。
【００３０】
尚、密閉袋ｗを図１（Ａ）へ示す略矩形のものに限定するものではなく、密閉袋ｗの形状・寸法に特に制限はない。例えば四角形以外の多角形や、円形やその他の流線形状として実施することができる。
密閉袋ｗの閉鎖された上記３辺のうちの１辺に上記脱気弁である閉止弁ｖが設けられている。
【００３１】
上シートｗ１と下シートｗ２のヒートシール前において、上シートｗ１と下シートｗ２の上記１辺間に閉止弁ｖを挟んで上記ヒートシールを施すことにより、閉止弁ｖを密閉袋ｗへ取り付けることができる。
この例では、密閉袋ｗは、脱気袋であり、例えば、コーヒーや発酵食品など保存中ガスを発生する食品や、減圧して嵩を低減させる衣類や布団などを収容物として、密閉袋ｗの内部空間即ち収容空間ｗ０へ収容するものである。この収容物は、上記ヒートシール後、ファスナｗ７を開いて開口部ｗ６から収容空間ｗ０内へ収容される。
【００３２】
この他上記ヒートシール前の上シートｗ１と下シートｗ２の間へ収容物を配置した後上記ヒートシールを行うものとしてもよい。この場合、上記ファスナｗ７が設けられた上記１辺ｗ６も、ヒートシールされるものとし、需要者の開封にて開口部ｗ６が密閉袋に形成され、開封後はファスナｗ７にて開口部ｗ６を閉鎖するものとすればよい。
上記シール部ｈを境として、密閉袋ｗの収容空間ｗ０側を袋内側とし、収容空間ｗ０の外側を袋外側として説明を続ける。
【００３３】
（閉止弁ｖ）
閉止弁ｖは、柔軟で扁平な略筒状のものであり、筒状の閉止弁ｖの内部空間を流体（本例では空気）の流路ｖ０として密閉袋ｗの収容空間ｗ０と密閉袋ｗの袋外側との間の流体の移動を可能とする。閉止弁ｖは上記流路ｖ０の流体の移動を規制する、上流弁部ａと下流弁部ｃとを備える（図１（Ｂ））。
【００３４】
閉止弁ｖを密閉袋ｗの上記袋内側から袋外側へ気体を排出する脱気弁とするこの例において、上記流路は、袋内側を上流側とし袋外側を下流側とする。上流弁部ａは下流弁部ｃよりも上流側に配置される。閉止弁ｖにおいて上流側の上流弁部ａと下流側の下流弁部ｃとの間の部分が流体を滞留させるバッファ部ｂを構成する。特に上流弁部ａは、密閉袋ｗの内圧と外圧の圧力差位置に設けられる。圧力差位置とは、この例では密閉袋ｗにおける閉止弁ｖの取り付け位置であり、シール部ｈと一致する。
【００３５】
（第１の実施の形態の具体的な態様）
具体的には、閉止弁ｖは、ポリエチレンに代表される柔軟な合成樹脂製のフィルムを外装フィルム１として、当該外装フィルム１を２枚重ねたものである。
以下必要に応じて、図２（Ａ）（Ｂ）の上方に配置された外装フィルム１を上外装フィルム１ａと呼び、その下方に配置された外装フィルム１を下外装フィルム１ｂと呼ぶ。
【００３６】
図１（Ｂ）及び図２（Ａ）へ示す通り、重ねられて対向する外装フィルム１ａ，１ｂの両側辺は閉鎖された閉鎖部２とされる。この例では、閉鎖部２はサイドシールとしてシールされた部分である（以下サイドシール部２と呼ぶ）。サイドシール部２の形成は、ヒートシールなどの周知の手段にて行えばよい。サイドシール部２の形成により、重ねられた外装フィルム１は、両端が開口する扁平な筒状とされる。上外装フィルム１ａと下外装フィルム１ｂとの間が、流体の通路（流路ｖ０）となる。外装フィルム１の上記両端の開口については、閉止弁ｖが密閉袋ｗへ取り付けられた状態において、一端側が密閉袋ｗの内側に開口する流入部１２となり、他の一端側が密閉袋ｗの袋外側にて開口する流出部１３となる。
【００３７】
なお、本発明において、上流と下流、流入と流出は、特に断りがない限り、いずれも閉鎖弁が流体の通過を許す順流の流れ方向を基準とするものであり、その逆方向へ流れる逆流の流れ方向を基準とする場合にはその旨を明示する。
上流弁部ａは、流路ｖ０中上記の通り圧力差位置である、密閉袋ｗの袋外側から袋内側を画する上記シール部ｈを含む領域に位置する。
【００３８】
上記上流弁部ａは、流路ｖ０の上流側から下流側への流体の移動即ち順流を通過させ、下流側から上流側への流体の移動即ち逆流を規制する逆止弁である。図２（Ｂ）へ示す通り、上流弁部ａは、ポリエチレンに代表される合成樹脂製の弁体フィルムを備える。以下必要に応じて上流弁部ａの弁体フィルムを上流弁フィルム３と呼ぶ。
【００３９】
上流弁フィルム３は、上外装フィルム１ａと下外装フィルム１ｂとの間に配置されており、上流弁フィルム３の上面は、その上流側及び下流側において、上外装フィルム１ａと固定されずに解放されている。上流弁フィルム３の下面は、その上流側において下外装フィルム１ｂと密閉状態に固定され、その下流側においては解放されている。
【００４０】
より詳しくは、上流弁フィルム３は、弁の開閉動作を行うフラップ部３１と、フラップ部３１を下外装フィルム１ｂへ固定する固定部３２とを有する。
この上流弁フィルム３は、流路ｖ０の圧力変動に応じて上下に動くもので、上流弁フィルム３（フラップ部３１）の上面が、上外装フィルム１ａの下面へ密着することによって流路ｖ０を遮断し、上流弁フィルム３（フラップ部３１）の上面が上外装フィルム１ａの下面から開放されることにより、流路ｖ０を開くものである。
【００４１】
図４（Ａ）へ示す通り、サイドシール部２形成前の、上外装フィルム１ａと下外装フィルム１ｂとの間に上流弁フィルム３を挟んで、サイドシール部２を形成することにて、上外装フィルム１ａと下外装フィルム１ｂとの固着と共に両外装フィルム１間に上流弁フィルム３を取り付けることができる。図４（Ａ）において、斑点を伏した領域がサイドシール部２にて固着される部分である。
【００４２】
後述する非溶着フィルム３３は、上流弁フィルム３を上下の外装フィルム１の間へ取り付ける前に、上流弁フィルム３へ設けておく。
上記サイドシール部２にて一体にされた上外装フィルム１ａと上流弁フィルム３と下外装フィルム１ｂを、密閉袋ｗ形成時の上シートｗ１と下シートｗ２の上記ヒートシールの際、上シートｗ１と下シートｗ２との間に挿入し（図４（Ｂ））当該ヒートシールを行うことによって、密閉袋ｗの形成と、閉止弁ｖへの上流弁部ａの形成と、閉止弁ｖの密閉袋ｗへの取り付けとを同時に行うことができる（図２（Ａ））。即ちシール部ｈのヒートシールにて上流弁フィルム３の固定部３２が形成される。従って、上流弁フィルム３において固定部３２が圧力差位置を示すものとなる。
【００４３】
密閉袋ｗへの取り付け前の状態では、固定部３２は形成されておらず、上流弁フィルム３は、上下の外装フィルム１に対してサイドシール部２にて固定されているに止まる。
そして密閉袋ｗのシール部ｈを形成する際に、そのヒートシールによって、固定部３２が形成される。その際、シール部ｈのヒートシールによって、上流弁フィルム３の固定部３２と反対側の上面が上外装フィルム１ａと溶着しないように、上流弁フィルム３の上面には非溶着フィルム３３が配置されている（図１（Ｂ）、図２、図３及び図４）。
【００４４】
非溶着フィルム３３は、シール部ｈのヒートシール温度では熱溶着しないフィルムであり、上外装フィルム１ａとの溶着するのを阻止する。非溶着フィルム３３自身は、熱溶着する溶着フィルム３４（図３（Ｂ））を介して、上流弁フィルム３に固定されている。溶着フィルム３４はラミネートにより、非溶着フィルム３３に重ね合わされている。ラミネートの方法としては、接着剤を用いるなど、ヒートシール以外の周知の方法を採用する。
また、非溶着フィルム３３に代えて、耐熱インクを塗布しておくこともできる。
【００４５】
図１（Ｂ）へ一点鎖線で示す通り、サイドシール部２による上記シールを阻害しないように、非溶着フィルム３３は、上記サイドシール部２に掛からない範囲で上流弁フィルム３に設けられる。この例では、非溶着フィルム３３は、サイドシール部２間の間隔と略同じ横幅を備える（図１（Ｂ）及び図３（Ａ））。但し、サイドシール部２によるシールを阻害しない範囲であれば、非溶着フィルム３３がサイドシール部２へ重なるものを除外するものではない。
【００４６】
また図６（Ｂ）へ示す通り、非溶着フィルム３３が、サイドシール部２へ重なり、サイドシール部２によるシールが途切れるものとなるものであっても、密閉袋ｗの閉止弁ｖを取り付ける１辺ｗ５に対し、シール部ｈよりも袋外側へ延設された延設部ｗ８を設けると共に、シール部ｈと交差して上記サイドシール部２に接しサイドシール部と並行に伸びる補助シール部ｈ１を設けて、外装フィルム１の側辺を閉鎖するようにして実施しても構わない。図６（Ａ）（Ｂ）へ示す通り、補助シール部ｈ１は、密閉袋ｗの袋内側から上記延設部ｗ８に掛けて設けられる。補助シール部ｈ１は、シール部ｈと共に密閉袋ｗ形成時に上シートｗ１及び下シートｗ２へヒートシールにより形成することができる。
【００４７】
上下の外装フィルム１と上流弁フィルム３は、ポリエチレンに代表される合成樹脂製フィルム単体又は積層体にて構成され得るが、流路ｖ０内面を構成する面（即ち上外装フィルム１ａの下面と下外装フィルム１ｂの上面と上流弁フィルム３の上面）は、自己粘着性がある面とすることが好ましい。自己粘着性がある面を一方に備えたフィルムは、ポリエチレンなどのフィルム基材とエチレン酢酸ビニル共重合樹脂（EVA）等の自己粘着性を有する熱可塑性樹脂とを共押出しした共押型の他、ポリエチレンなどのフィルム基材に粘着剤をコーティングした塗工型などを採用することができる。
【００４８】
（上流弁部ａ）
上流弁部ａは、前述した上流弁フィルム３を備えた逆止弁として実施されており、図３（Ｂ）へ示す通り、上流弁フィルム３のフラップ部３１の上面は、対向する上外装フィルム１ａの下面へ密着し、閉止弁ｖを閉弁状態とする。
上流弁フィルム３が固定されている下外装フィルム１ｂの上面に粘着して開弁動作が害されないことを目的として、図３（Ｂ）に示すように、フラップ部３１の下面には当該外装フィルム１（下外装フィルム１ｂ）を臨む面へ難粘着部分３５を設けて実施することが出来るが（図３（Ｂ））、難粘着部分３５を設けずに実施してもかまわない。
【００４９】
（バッファ部ｂ）
以上説明した形態は、従来の閉止弁（逆止弁）であっても備えた形態であると言えるが、本発明の閉止弁の特徴は、図２（Ｂ）へ示す通り、弁部として、上流弁部ａと、上流部よりも下流側に位置する下流弁部ｃの少なくとも２つの弁部を備え、上流弁部ａと下流弁部ｃに、流路ｖ０内の流体を滞留させるバッファ部ｂを設ける点である。
【００５０】
バッファ部ｂにおいては、上下の両外装フィルム１同士が直接対向しており、流路ｖ０内面を構成する面（即ち上外装フィルム１ａの下面と下外装フィルム１ｂの上面）は、前述の通り自己粘着性がある面となっているが、両外装フィルム１の一方又は両方には、難粘着部４が設けられている。難粘着部４は、自己粘着性がある面同士が対向する状態よりも、粘着し難い状態とするものである。難粘着部４は、粘着性を備えず、両外装フィルム１同士がくっ付くのを防ぐ。
【００５１】
図２（Ｂ）及び図３（Ａ）へ示すように、この例では難粘着部４は、上外装フィルム１ａの下面に設けられているが、下外装フィルム１ｂの上面に設けてもよく、また上外装フィルム１ａと下外装フィルム１ｂの双方に設けて実施することもできる。これによって、バッファ部ｂにおける内圧の上昇に伴い、バッファ部ｂは流体の滞留する膨らんだ空間を提供する。
【００５２】
難粘着部４は、外装フィルム１へ塗布することにより、外装フィルム１の自己粘着性を低下させる周知のインクを用いて形成することができる。但し、このようなインク以外に他のフィルムを配置するなどの他の手段により、難粘着部４を形成するものとしてもよい。尚、図２（Ｂ）において、難粘着部４の配置を分かり易くするため、難粘着部４の厚みを他の構成部材に比べて実際より大きく強調して描いている。
【００５３】
（下流弁部ｃ）
下流弁部ｃは、この例では弁体フィルムを備えていない。また、下流弁部ｃにおいて、外装フィルム１は、バッファ部ｂのような難粘着部４も備えない。よって、下流弁部ｃは、自己粘着性がある上外装フィルム１ａの下面と自己粘着性がある下外装フィルム１ｂの上面とが直接対向しており、両者が粘着部５として密着し合い、上下の両外装フィルム１間を閉鎖する（図３（Ｂ））。
【００５４】
上記密着によって、下流弁部ｃは、流体の上記順流と共に逆流も制限する。下流弁部ｃは、流体からの圧力受けて開弁する。従って上記バッファ部ｂにおける流路ｖ０の内圧が、下流弁部ｃの下流側より高くならないと、下流弁部ｃは上記自己粘着により、閉弁状態を維持する。この例では、流体は気体であるので、バッファ部ｂの内圧が、外気圧よりも高くならないと、下流弁部ｃは閉弁しているのである。
【００５５】
（流路の閉鎖性）
流路の閉鎖性は、流路ｖ０を構成する上下に対向するフィルムの厚みや、柔軟性や、形状などにも左右されるが、これを左右する最も大きな要因として、粘着性と流路の幅との二つの要因を上げることができる。
【００５６】
第一の要因である粘着性は、流路ｖ０を構成する上下に対向するフィルムのもつ粘着性の高低であって、粘着性が高い方が流路の閉鎖性が高く、粘着性が低い方が流路の閉鎖性が低い。粘着性はＴ型剥離強度試験でも図ることはできるが、筒状体の開通試験（上下に対向するフィルムによって筒状体を作製し、これらのフィルムを所定の範囲を所定の力で押さえて密着させた後、筒状体の一端から流体を導入し、他端に抜けた時の流体の圧力を計測する試験）でも図ることができる。
第二の要因である流路の幅は、流路の幅（即ち、流路ｖ０中の流体の流れ方向に直交する方向における距離）の長短であって、粘着性が同じ場合には、流路の幅が小さい方が流路の閉鎖性が高い。
【００５７】
（閉止弁ｖの動作）
図５を参照して、閉止弁ｖの動作について簡単に説明する。ここでは、各弁部の構造の詳細については省略し作用のみに焦点を絞って説明する。尚、ここで上流側とは流体の流路ｖ０においてバッファ部ｂよりも上流側を指し、下流側とは上記流路ｖ０においてバッファ部ｂよりも下流側を指す。
図５（Ａ）へ示す通り、使用初期の密閉袋ｗの袋内側と袋外側で圧力が均衡している状態において、流路ｖ０内での流体の移動はなく、上流弁部ａも下流弁部ｃも閉弁し、バッファ部ｂも縮んで両外装フィルム１間の幅を狭めている。
上流側の圧力が上昇し、内圧について上流側＞バッファ部ｂ＝下流側、例えば、内圧の増加比ａ：ｂ：ｃが＋１：０：０（気圧）となると、図５（Ｂ）へ示す通り、上流側の上流弁部ａは開弁する。上流弁部ａの開弁により図５（Ｃ）へ示すようにバッファ部ｂへ流体が流入し、下流弁部ｃの閉弁状態においてバッファ部ｂが膨らむ。バッファ部ｂは、流路ｖ０の袋外側区間へ配置されているため、袋内側区間のような密閉袋ｗの内圧の影響を外装フィルム１の表面側から受けることなく、比較的自由に膨らむことができ、バッファとして流体を滞留させる機能を十分発揮することができる。
【００５８】
バッファ部ｂの内圧が上昇し、流路ｖ０の内圧が上流側≧バッファ部ｂ≧下流側の状態を経て、上流側＝バッファ部ｂ＞下流側例えば内圧の増加比ａ：ｂ：ｃが＋１：＋１：０の状態となり、図５（Ｄ）へ示す通り上流弁部ａと共に下流弁部ｃが開弁し脱気が始まる。
脱気により上流側の圧力が低減すると、図５（Ｅ）へ示す通り、下流弁部ｃが開弁した状態において上流弁部ａは閉弁し、上流側とバッファ部ｂの内圧が均衡状態へ移行する。即ち内圧が上流側≦バッファ部ｂ＞下流側の状態例えば内圧の増加比＋０．５：＋１：０の状態を経て、更に上流側＝バッファ部≧下流側の状態例えば内圧の増加比０（−１）：＋０．５：０の状態へ移行する。最終的にバッファ部ｂと下流側の内圧が均衡する。即ち、図５（Ｆ）へ示す上流側＝バッファ部ｂ＝下流側或いは上流側≦バッファ部ｂ＝下流側の状態例えば内圧の増加比０（−１）：０：０の状態となる。
【００５９】
図５（Ｅ）及び図５（Ｆ）の何れの均衡状態おいても、上流弁部ａを境界とする袋内側区間と袋外側区間の圧力差が、図１０（Ｅ）へ示す従来のものにおける均衡状態よりも大きいので、流路ｖ０の遮断も、図１０に示す従来のものに比して行い易い。
なお、図５（Ｅ）に示す上流側とバッファ部ｂの均衡時において、バッファ部ｂからその上流側へ僅かな逆流が発生する可能性はあるが、バッファ部ｂ中の流体はバッファ部よりバッファ部に滞留するまでは上流側にあった流体である。従って、袋外側からの流体を侵入させるような問題はない。
【００６０】
次に図５（Ｆ）に示すバッファ部ｂとバッファ部より下流側との均衡状態においては、当該下流側（脱気袋の場合大気）の流体がバッファ部へ向けて僅かに逆流する可能性があるが、このとき上流弁部ａが閉じられ流路を閉鎖しているため、袋内側への逆流は生じ難い。
そして次作動時即ち下流弁部の開弁時には、バッファ部より下流側からバッファ部へ侵入した流体は再びバッファ部の下流側に排出され、バッファ部にはバッファ部よりも上流側にあった流体が満たされる。
【００６１】
よって、上記何れの均衡状態でも、袋内への外部流体の逆流を抑制することができる。
そして、特に本発明に係る袋では、流路中において、バッファ部は、袋の外側区間に配置されるので、筒状の閉止弁において、袋の内圧の影響を受けずに拡縮することができる。従って、本発明では、上記効果をより顕著に発揮することができる。
【００６２】
（バッファ部ｂを機能させる手段）
バッファ部ｂにその機能を有効に発揮させるためには、順流時において（収容空間ｗ０から流路ｖ０を通って外部に抜ける時において）バッファ部ｂが流体によって膨らむように構成する必要がある。
【００６３】
従って、その第一の手段として、バッファ部ｂは、下流弁部ｃよりも、流路の閉鎖性が低くなるように構成することが必要となり、より好ましくは上流弁部ａ及び下流弁部ｃの双方よりも、流路の閉鎖性が低くなるように構成する。
この第１の実施の形態では、上流弁部ａとバッファ部ｂと下流弁部ｃとは、流路ｖ０の幅は等しいため、閉鎖性は、粘着性によって決定される。
この実施の形態では、流路の閉鎖性は、上流弁部ａと下流弁部ｃとは等しく、難粘着部４が有るバッファ部ｂの閉鎖性は両弁部ａ、ｃよりも低い。
なお、バッファ部ｂに難粘着部４を設けずに実施することで、上流弁部ａとバッファ部ｂと下流弁部ｃとの粘着性を等しくした場合には、バッファ部ｂの流路ｖ０の幅を下流弁部ｃよりも広くして実施することができ、より好ましくは上流弁部ａ及び下流弁部ｃの双方より広くして実施することができる。
【００６４】
第二の手段として、流体の流出時（収容空間ｗ０の内圧が上昇するなどして、上流弁部ａが開いた時）、バッファ部ｂに流体が導入された直後に下流弁部ｃも開いてしまうと、バッファ部ｂが流体によって膨らまない場合があるため、これを防ぐ手段を講じる。
【００６５】
この第二の手段として、この実施の形態では、バッファ部ｂに十分な長さを与えるものである。
具体的には、バッファ部ｂは、上流弁部ａと下流弁部ｃとの少なくともいずれか一方よりも、流路ｖ０の流体の流れ方向の長さが長くなるように構成するものであり、より望ましくは、上流弁部ａと下流弁部ｃとの双方よりも、流路ｖ０の流体の流れ方向の長さが長くなるように構成する。
【００６６】
図２（Ｂ）に示すように、上流弁部ａ及び下流弁部ｃの長さは、弁部として流路を閉鎖する機能を果たす部分の長さを言うものであり、上流弁部ａでは、固定部３２よりも下流側のフラップ部３１の領域であって難粘着部４と重ならない領域の長さである。バッファ部ｂの長さは難粘着部４の設けられた領域の長さである。下流弁部ｃの長さは、難粘着部４よりも下流側の粘着部５の設けられた領域の長さである。
この実施の形態では、バッファ部ｂは、上流弁部ａと下流弁部ｃとの双方よりも、流路ｖ０の流体の流れ方向の長さが長くなるように構成されている。
【００６７】
（バッファ連続部ｄ）
なお、上流弁フィルム３は、その下面に重ねられた下外装フィルム１ｂとの間が、その上流側において固定部３２によって密閉状態とされ、その下流側においてバッファ部ｂに導通している。これによって、バッファ部ｂに入った流体の一部は、図３（Ｂ）に示すように、上流弁フィルム３と下外装フィルム１ｂとの間の空間にも導入される場合があり、以下の説明では、当該空間をバッファ連続部ｄとして説明する。
【００６８】
（第２の実施の形態）
図７（Ａ）へ示す通り、下流弁部ｃは、上流弁部ａと同様、弁体フィルムを備えるものとしても実施できる。具体的には、下流弁部ｃにおいて、外装フィルム１の一方に、上記弁体フィルムとして下流弁フィルム６が固定されている。下流弁フィルム６は、上記フラップ部３１及び固定部３２と同様の機能を有する副フラップ部６１及び副固定部６２を備える。即ち、下流弁部ｃにおいて、副固定部６２により下流弁フィルム６が下外装フィルム１ｂの上面へ固定されている。副固定部６２から下流側に向けて副フラップ部６１は伸びている。
また副フラップ部６１には、上記非溶着フィルム３３と同様の副非溶着フィルム６３が設けられている。
【００６９】
副固定部６２は、密閉袋ｗへ取り付け前の閉止弁ｖ製造時に、下流弁フィルム６が取り付けられる一方の外装フィルム１（この例では下外装フィルム１ｂ）の表面側から周知の熱シール装置でヒートシールを施すことにより、平面視において矩形の副フラップ部６１を横断する副固定部６２を形成することができる（第３の実施の形態で参照する図８（Ｂ）へ、副フラップ部６１の平面視した状態を示す）。
【００７０】
図７（Ａ）に示す第２の実施の形態においても、流路ｖ０の内面を構成する上外装フィルム１ａの下面と下外装フィルム１ｂの上面は粘着部５として前述の自己粘着性を備える。他方、それぞれの反対の面（具体的には、上外装フィルム１ａの上面と下外装フィルム１ｂの下面）は、上記自己粘着性を備えなくてもよい。
【００７１】
また、下流弁フィルム６は、上流弁フィルム３と同様に、その上面は自己粘着性を備える。他方、それぞれの反対の面（具体的には、下流弁フィルム６と上流弁フィルム３の下面）は、上記自己粘着性を備えなくてもよい。
第２の実施の形態において、特に言及しなかった事項については、上記第１の実施の形態と同様である。
【００７２】
（第３の実施の形態）
この例では、図７（Ｂ）及び図８（Ａ）（Ｂ）へ示す通り、外装フィルム１の夫々は、互いに別体に形成された第１構成フィルム１０と第２構成フィルム１１とにて構成されている。
【００７３】
即ち、上外装フィルム１ａは、上第１構成フィルム１０ａと上第２構成フィルム１１ａの２枚のフィルムにて構成され、下外装フィルム１ｂは、下第１構成フィルム１０ｂと上第２構成フィルム１１ｂとにて構成されている。上第１構成フィルム１０ａと下第１構成フィルム１０ｂとは重ねられ、側部がサイドシール部２０にてシールされた扁平な筒とされる。上第２構成フィルム１１ａと下第２構成フィルム１１ｂも重ねられ、側部が副サイドシール部２１にてシールされた扁平な筒とされる（図８（Ｂ））。閉止弁ｖを分解した状態を示す図８（Ａ）において、濃い（密な）斑点箇所は上記サイドシール部２０とされる領域を示し、薄い（疎な）斑点箇所は上記副サイドシール部２１とされる領域を示している。
【００７４】
第２構成フィルム１１の構成する上記筒は第１構成フィルム１０の構成する筒より筒径が大きい。図８（Ｂ）へ示すように、流路ｖ０を横切る横幅について、第１構成フィルム１０より第２構成フィルム１１のほうが大きいのである。
上第１構成フィルム１０ａと下第１構成フィルム１０ｂとの間が流路ｖ０の一部を提供し、上第２構成フィルム１１ａと下第２構成フィルム１１ｂとの間も流路ｖ０の他の一部を提供する。
【００７５】
即ち、第２構成フィルム１１の夫々は、前記圧力差位置にて第１構成フィルム１０の夫々へ直接又は密閉袋ｗの一部分を介して間接的に接続されて、第１構成フィルム１０から流路ｖ０を袋外側に向け延長する流路ｖ０の他の一部を提供する。この例では、第２構成フィルム１１は、シール部ｈにて密閉袋ｗに固定されて、間接的に第１構成フィルム１０へ接続されている（図７（Ｂ）及び図８（Ｂ））。但し、第２構成フィルム１１は、直接第１構成フィルム１０へ固定するものとしても実施できる。
【００７６】
第２構成フィルム１１の夫々は、袋外側に配置され、提供する流路ｖ０を袋外側の区間とする。
図７（Ｂ）及び図８（Ｂ）へ示す通り、上第１構成フィルム１０ａと下第１構成フィルム１０ｂ上の非溶着フィルム３３とが前述の流入部１２を提供し、上下の第２構成フィルム１１，１１は前述の流出部１３を提供する。上下の第１構成フィルム１０，１０は、前記圧力差位置から袋外側へ向け伸びて第２構成フィルム１１，１１間へ内装される内装部１４を備える。上流弁フィルム３は一方の第１構成フィルム１０（下第１構成フィルム１０ｂ）の上方に配置され固定ている。下流弁フィルム６は、一方の第２構成フィルム１１（下第２構成フィルム１１ｂ）の上方に配置され固定ている。
【００７７】
この例では、上記の通り下流弁部ｃは下流弁フィルム６を備えるものとしたが、第１の実施の形態と同様、下流弁フィルム６を備えないものとしても実施できる。
この実施の形態において、内装部１４の先端と下流弁フィルム６との間の難粘着部４の領域をバッファ部ｂとする。
【００７８】
図７（Ｂ）へ示す通り、内装部１４における上第１構成フィルム１０ａの上面と当該上面と対面する上第２構成フィルム１１ａの下面との間、及び、内装部１４における下第１構成フィルム１０ｂの下面と前記下第２構成フィルム１１ｂの上面との間は、バッファ連続部ｄとなる。バッファ連続部ｄは、バッファ部ｂと導通してその一部の流体が流れ込むものである。
【００７９】
図７（Ｂ）の例において、上第１構成フィルム１０ａ下面の自己粘着性は、上第１構成フィルム１０ａ上面の自己粘着性よりも大きい。下第２構成フィルム１１ｂ上面は自己粘着性を持たない。上第１構成フィルム１０ａ上面の自己粘着性は、上第１構成フィルム１０ａ下面の自己粘着性よりも小さいものであるが、下第２構成フィルム１１ｂ上面の自己粘着性よりも大きい。従って相対的には、上第１構成フィルム１０ａ下面の自己粘着性を大とすると、上第１構成フィルム１０ａ上面の自己粘着性は、中程度の自己粘着性を備え、下第２構成フィルム１１ｂ上面の自己粘着性は小となる。自己粘着性に関し上記に従って説明すると、上流弁フィルム３の少なくとも非溶着フィルム３３と反対側の面は、中程度の自己粘着性を備える。また、内装部１４において、下第１構成フィルム１０ｂ下面も中程度の自己粘着性を備える。下第１構成フィルム１０ｂの上面の自己粘着性は大である。
この第３の実施の形態において下流弁フィルム６の自己粘着性については、第２の実施の形態で説明したものと同様である。
この他、第３の実施の形態において、特に言及しなかった事項については、上記第１及び第２の実施の形態と同様である。
【００８０】
（第４の実施の形態）
第４の実施の形態について、図９を参照して説明する。
図９（Ａ）は第４の実施の形態に係る閉止弁の断面図で（Ｂ）は同平面図である。
【００８１】
この閉止弁は、第１の実施の形態の変更したもので、主な相違点のみを説明し、同一の符号を付して説明を行わない点は第１の実施の形態の説明と実質的に同じとする。
まず、流入部１２の構造について、この例では袋ｗの収容空間ｗ０の内部に、平面状に開口しているものである。上外装フィルム１ａが収容空間ｗ０の内部に長く伸ばされており、その下方に不織布などのフィルター５１が配置されている。収容空間ｗ０の内部の上外装フィルム１ａとフィルター５１とはほぼ同じ大きさ同じ形状とされており、その周囲がフィルター固定部５２のヒートシールによって固定されている。収容空間ｗ０の内部の流体はフィルター５１を通って流路ｖ０内部に導入されることにより、微粉末などが閉止弁内に導入されたり外部に流出したりすることを防ぐことができる。
【００８２】
上流弁フィルム３は、この例では、シール部ｈの位置よりも袋ｗの外側にあるフィルター５１とフィルター固定部５２で固定されているもので、フィルター固定部５２が固定部３２を兼ねるものとなる。上流弁フィルム３は、このフィルター固定部５２兼固定部３２の下流側がフラップ部３１となっている。また上流弁フィルム３は、上外装フィルム１ａと下外装フィルム１ｂと一緒に、袋ｗの上シートｗ１と下シートｗ２との間に挟まれてシール部ｈで固定されている。
【００８３】
製造工程は問わないが、この構造によって、上流弁フィルム３がフィルター固定部５２によってフィルター５１と固定されている状態の閉止弁ｖが、袋ｗの上シートｗ１と下シートｗ２との間に挿入されてヒートシールされることができる。フィルター固定部５２とシール部ｈの位置とは、いずれが外側であっても構わないし同一であっても構わないが、同一にした場合はヒートシール性が低下する場合があるため、シール位置を異なるようにしておく方が好ましい。
【００８４】
この例では、フィルター固定部５２がシール部ｈの位置よりも袋ｗの外にあるため、上流弁部ａは、フィルター固定部５２のヒートシールよりも下流側となる。
なお、この流入部１２の構造は、先に示した各実施の形態においても採用することができる。
【００８５】
（バッファ部ｂと下流弁部ｃ）
次に、この例では、バッファ部ｂは、外装フィルム１（上外装フィルム１ａと下外装フィルム１ｂ）に難粘着部４を備えておらず、共に、自己粘着性がある上外装フィルム１ａの下面と自己粘着性がある下外装フィルム１ｂの上面とが直接対向しており、両者が粘着部５として密着し合うものである。従って、この点では、バッファ部ｂと下流弁部ｃとは上下の両外装フィルム１間を閉鎖する点で差異がない。
言い換えれば、バッファ部ｂと下流弁部ｃは、弁体フィルムである上流弁フィルム３の下流端と外装フィルム１（上外装フィルム１ａと下外装フィルム１ｂ）の下流端との間の先端空間を構成している点で共通する。
【００８６】
この先端空間は、その閉鎖性の高低によって、その下流弁部ｃを構成する高閉鎖性空間と、バッファ部ｂを構成する低閉鎖性空間とに区分される。具体的には、下流弁部ｃは、弁体フィルムを備えていないが流路ｖ０の幅が最も小さな部分であり、バッファ部ｂは、下流弁部ｃを構成する高閉鎖性空間よりも流路ｖ０の幅が大きな部分である。この例では図９（Ｂ）に示すように、下流弁ポイントシール５３を流路ｖ０の中央に設けることによって、流路の幅を狭めて、閉鎖性を高めている。
【００８７】
より詳しくは、先に述べたように流路の閉鎖性は、流路ｖ０を構成する上下に対向するフィルムの厚みや、柔軟性や、形状などにも左右されるが、これを左右する最も大きな要因として、粘着性と流路の幅との二つの要因を上げることができる。
【００８８】
第一の要因である粘着性では、バッファ部ｂと下流弁部ｃは同等の粘着性がある。
第二の要因である流路の幅は、流路の幅（即ち、流路ｖ０中の流体の流れ方向に直交する方向における距離）が、下流弁部ｃはバッファ部ｂよりも小さいため、流路の閉鎖性が高い。
なお、上流弁フィルム３は、その上面が自己粘着性があり、上外装フィルム１ａの下面と対向している点で、バッファ部ｂ及び下流弁部ｃと同等の粘着性がある。また、流路の幅は、バッファ部ｂと同じく、下流弁部ｃよりも大きい。従って流路の閉鎖性は、下流弁部ｃが最も高く、上流弁部ａとバッファ部ｂとはほぼ等しい。
【００８９】
（バッファ部ｂを機能させる手段）
先に述べたように、バッファ部ｂにその機能を有効に発揮させるためには、順流時において（収容空間ｗ０から流路ｖ０を通って外部に抜ける時において）バッファ部ｂが流体によって膨らむように構成する必要がある。
【００９０】
従って、その第一の手段として、バッファ部ｂは、下流弁部ｃよりも、流路の閉鎖性が低くなるように構成することが必要となり、より好ましくは上流弁部ａ及び下流弁部ｃの双方よりも、流路の閉鎖性が低くなるように構成する。
第二の手段として、流体の流出時（収容空間ｗ０の内圧が上昇するなどして、上流弁部ａが開いた時）、バッファ部ｂに流体が導入された直後に下流弁部ｃも開いてしまうと、バッファ部ｂが流体によって膨らまない場合があるため、これを防ぐ手段を講じる必要がある。
【００９１】
この第二の手段を満たす具体的手段として、この実施の形態では、下流弁部ｃの閉鎖性を上流弁部ａよりも高いものとした。
この二つの手段をまとめれば、下流弁部ｃの閉鎖性が上流弁部ａ及びバッファ部ｂの双方よりも、高くなるように構成するもので、この実施の形態では、下流弁ポイントシール５３を設けることによって、流路の幅を最も小さくしたものである。
【００９２】
これによって、比較的圧力差が小さな条件では、上流弁部ａ及びバッファ部ｂの双方が開く流体圧まで袋ｗの内圧が上昇しても、閉鎖性の高い下流弁部ｃは開かない。これによって、バッファ部ｂの長さが短い場合にあっても、バッファ部ｂ内で流体が止まり膨らむものである。バッファ部ｂに入った流体は、上流弁フィルム３と下外装フィルム１ｂとの間のバッファ連続部ｄにもその一部が流れ込む。
なお、バッファ部ｂと下流弁部ｃとの流路ｖ０の流れ方向における長さは、上記の作用を発揮することを条件に設定することができるが、それぞれ少なくとも２ｍｍの長さ、より好ましくは３ｍｍ以上の長さとすることが適当である。
【００９３】
なお、図９（Ｃ）に示すように、下流弁ポイントシール５３は左右２箇所に設けるなど複数個も受けても構わない。
また、図９（Ｄ）（Ｅ）に示すように、上流弁フィルム３と上外装フィルム１ａとの間に上流弁ポイントシール５４を、設けて実施しても構わないが、この場合にも閉鎖性は、下流弁部ｃの方が高くなるように構成する必要がある。具体的には下流弁ポイントシール５３の数を増やしたり幅を大きくするなどして、流路幅を下流弁部ｃの方が狭くなるようにして実施する必要がある。
以上この実施の形態では、流路の閉鎖性について、流路幅のみによって実現させたが、先の実施の形態に示すように粘着性によって実現させることもできるし、両者を併用することも可能である。
【００９４】
（他の変更例）
上流弁部ａは、対向する１対の上流弁フィルム３にて構成しても構わない。即ち、上流弁フィルム３が設けられた外装フィルム１と対向する外装フィルム１にも上流弁フィルム３を設け、両上流弁フィルム３のフラップ部３１同士が密着することにて、上流弁部ａが閉弁し、両フラップ部が離反することによって上流弁部ａが開弁するものとしても実施できる。また、下流弁部ｃが弁体フィルムを備える場合も、図７（Ａ）（Ｂ）へ示すものと異なり、下流弁部ｃは対向する一対の弁体フィルム（下流弁フィルム６）を備えるものとしても実施できる。
【００９５】
また、弁部の数は、上流弁部ａ下流弁部ｃの２か所に限らず、上流弁部ａから流路ｖ０内に入った流体が、下流弁部ｃから外部に流出するまでの間に、滞留する空間が生じることを条件に、３つ以上の弁を備えるものであっても構わない。
上述の各実施の形態について、食品用密閉袋の脱気弁を例示して説明したが、本発明の袋ｗは、気体を排気する脱気袋に限らず、液体などの気体以外の排出を上記閉止弁ｖにて行うものとしてもよい。更に、本発明に係る閉止弁ｖは、密閉袋ｗ内から袋外部へ流体を排出する際に流体が逆流するのを防止するものの他、袋外部から袋内へ流体を注入する際に逆流を防止する閉止弁ｖとして実施してもよい。
【００９６】
閉止弁ｖを配置する位置は、袋ｗの端に限らず、中央部分であっても構わない。例えばピロー包装の背貼りシールの位置に設けても構わないし、２枚のシートの間ではなく一枚のシートに穴を開けて、図９に示すフィルター５１の全周を当該シートにヒートシールなどで密封状態に貼り付けても構わない。
【００９７】
密閉袋ｗのシール部ｈはヒートシールの他接着剤の使用など周知の他の手段によるものとしてもよい。また、閉止弁ｖのサイドシール部２の形成についてもヒートシールの他接着剤によるものとしてもよい。各弁体フィルムの取り付けも、ヒートシールの他、接着剤によるものとしても実施できる。接着剤を用いる場合、上記非溶着フィルム３３や副非溶着フィルム６３を設けずに実施することができる。
【００９８】
上述の通り、密閉袋ｗの収容物としてコーヒーや発酵食品、布団や衣類を例示した。脱気袋として密閉袋ｗを利用できるものであれば、例示した以外のものを収容物として収容することができる。上記の発酵食品についても、味噌や麹、漬物などの代表的なものに限定するものではない。食品以外への使用の一例としては、上述の通り、布団や衣類を収納する収納袋を上記密閉袋とすることが掲げられる。この収納袋は、圧縮袋として、布団や衣類を収納後、脱気弁である上記閉止弁ｖから袋内側の空気を抜いて、嵩を縮めることができる。
【００９９】
上記密閉袋は、保存するものを収容物として収容するものの他、例えば、空気を注入してエアークッションとして利用する緩衝材として使用されるものでもよい。
閉止弁ｖは、上記外装フィルムや弁体フィルムにて構成されたものに限定するものではなく、フィルム以外の形態に賦形されたものとしても実施できる。例えば密閉袋をビーチボールや浮き輪、人形その他の空気を注入して膨らませて使用する玩具とし、閉止弁ｖを当該玩具の空気注入口に設けられる、筒状のゴムやプラスチック成形品としても実施できる。
【０１００】
また、上述してきた実施の形態や上記変更例は、本発明の実施の一例であり、本発明の特許請求の範囲に記載の構成を採る限り、他の実施の形態を除外するものではない。
【符号の説明】
【０１０１】
ａ  上流弁部
ｂ  バッファ部
ｃ  下流弁部
ｄ  バッファ連続部
ｆ，ｗ  袋
ｈ  シール部
ｈ１  補助シール部
ｖ  閉止弁
ｖ０  流路
ｗ  密閉袋
ｗ０  収容空間
ｗ１  上シート
ｗ２  下シート
ｗ６  開口部
ｗ７  ファスナ
ｗ８  延設部
１，１ａ，１ｂ  外装フィルム
１ａ  上外装フィルム
１ｂ  下外装フィルム
２  閉鎖部
２，２０  サイドシール部
３  上流弁フィルム
４  難粘着部
５  粘着部
６  下流弁フィルム
１０，１０ａ，１０ｂ  第１構成フィルム
１１，１１ａ，１１ｂ  第２構成フィルム
１２  流入部
１３  流出部
１４  内装部
２１  副サイドシール部
３１  フラップ部
３２  固定部
３３  非溶着フィルム
３４  溶着フィルム
３５  難粘着部分
５１  フィルター
５２  フィルター固定部
５３  下流弁ポイントシール
５４  上流弁ポイントシール
６１  副フラップ部
６２  副固定部
６３  副非溶着フィルム
【図１】
2019014535.tif 000003
【図２】
2019014535.tif 000004
【図３】
2019014535.tif 000005
【図４】
2019014535.tif 000006
【図５】
2019014535.tif 000007
【図６】
2019014535.tif 000008
【図７】
2019014535.tif 000009
【図８】
2019014535.tif 000010
【図９】
2019014535.tif 000011
【図１０】
2019014535.tif 000012